(57)【要約】【課題】利用者に対して効率的かつ安全にチケットを提供することができるチケット管理方法及び電子チケットプログラムを提供する。【解決手段】携帯電話端末１０に記録された電子チケットが起動された場合、表示フラグメモリ領域を確認する。表示フラグメモリ領域は空欄になっている場合、携帯電話端末１０は、有効期間メモリ領域に格納された有効期間と、現在時刻に基づいて特定される現在日時とを照合する。現在日時が有効期間内になっている場合、携帯電話端末１０は、チケットを表象する２次元コードを生成する。そして、表示部１０１に、２次元コードを表示時間メモリ領域に記録された表示時間の間、表示する。この間に、ゲートシステム３０の２次元コードリーダ３１に、２次元コードを読み取らせる。そして、携帯電話端末１０は、表示開始から所定時間経過後に終了し、表示フラグメモリ領域に、表示済フラグを記録する。【選択図】      図１
2004295649.tif 000002
【特許請求の範囲】
【請求項１】
チケット管理サーバ、表示識別子を読み取る照合手段及びモバイルコンピュータ端末を用いて、商品又はサービスを提供するためのチケットの管理方法であって、
前記モバイルコンピュータ端末が、
前記チケット管理サーバから受信した電子チケットプログラムを格納する格納段階と、
前記電子チケットプログラムの起動に基づき、前記照合手段で読み取り可能な表示識別子を生成する表示識別子生成段階と、
前記表示識別子を所定時間のみ出力を行なう表示識別子出力段階と
を含むことを特徴とするチケット管理方法。
【請求項２】
前記表示識別子生成段階は、
表示時刻を特定できる情報を含む表示識別子を生成することを特徴とする請求項１に記載のチケット管理方法。
【請求項３】
前記電子チケットプログラムには表示許容時間に関するデータが格納され、
前記表示識別子出力段階は、前記表示許容時間に基づいて、前記表示識別子の出力を行なうことを特徴とする請求項１又は２に記載のチケット管理方法。
【請求項４】
前記電子チケットプログラムには表示識別子生成期間に関するデータが格納され、
前記チケット管理方法は、前記モバイルコンピュータ端末が、現在時刻を取得する段階をさらに含み、
前記表示識別子出力段階は、前記現在時刻が前記表示識別子生成期間に含まれる場合のみ、前記表示識別子の出力を許容することを特徴とする請求項１〜３のいずれか１項に記載のチケット管理方法。
【請求項５】
前記電子チケットプログラムには、前記表示識別子の出力に関して表示フラグを記録する表示フラグメモリ領域を有し、
前記チケット管理方法は、
前記モバイルコンピュータ端末が、前記表示識別子を出力した場合には、前記表示フラグを前記表示フラグメモリ領域に記録する段階をさらに含み、
前記表示識別子出力段階は、前記表示フラグメモリ領域に前記表示フラグが記録されていない場合のみ、前記表示識別子の出力を許容することを特徴とする請求項１〜４のいずれか１項に記載のチケット管理方法。
【請求項６】
前記電子チケットプログラムには表示識別子の出力に関する制限回数に関するデータが格納され、
さらに、前記表示識別子の出力回数に関するデータを記録する出力回数メモリ領域を有し、
前記チケット管理方法は、
前記モバイルコンピュータ端末が、前記表示識別子を出力した場合には、前記表示識別子の出力回数を前記出力回数メモリ領域に関するデータを記録する段階をさらに含み、
前記表示識別子出力段階は、前記出力回数が前記制限回数以下の場合のみ、前記表示識別子の出力を許容することを特徴とする請求項１〜５のいずれか１項に記載のチケット管理方法。
【請求項７】
前記電子チケットプログラムには表示許容地域に関するデータが格納され、
前記チケット管理方法は、
前記モバイルコンピュータ端末が、現在位置を取得する段階をさらに含み、
前記表示識別子出力段階は、前記現在位置が前記表示許容地域に含まれる場合のみ、前記表示識別子の出力を許容することを特徴とする請求項１〜６のいずれか１項に記載のチケット管理方法。
【請求項８】
前記電子チケットプログラムには、前記モバイルコンピュータ端末の端末識別子に関するデータが格納され、
前記チケット管理方法は、
前記モバイルコンピュータ端末が、自身の端末識別子と、前記電子チケットプログラムに格納された端末識別子とを照合する段階をさらに含み、
前記表示識別子出力段階は、両者が一致する場合のみ、前記表示識別子の出力を許容することを特徴とする請求項１〜７のいずれか１項に記載のチケット管理方法。
【請求項９】
チケット管理サーバ、表示識別子を読み取る照合手段及びモバイルコンピュータ端末を用いて、商品又はサービスを提供するための電子チケットプログラムであって、
前記モバイルコンピュータ端末を、
前記照合手段で読み取り可能な表示識別子を生成する表示識別子生成手段と、
前記表示識別子を所定時間のみ出力を行なう表示識別子出力手段
として機能させることを特徴とする電子チケットプログラム。
【請求項１０】
前記表示識別子生成手段は、
表示時刻を特定できる情報を含む表示識別子を生成することを特徴とする請求項９に記載の電子チケットプログラム。
【請求項１１】
前記電子チケットプログラムには表示許容時間に関するデータが格納され、
前記表示識別子出力手段は、前記表示許容時間に基づいて前記表示識別子の出力を行なうことを特徴とする請求項９又は１０に記載の電子チケットプログラム。
【請求項１２】
前記電子チケットプログラムには表示識別子生成期間に関するデータが格納され、
前記電子チケットプログラムは、前記モバイルコンピュータ端末を、現在時刻を取得する手段としてさらに機能させ、
前記表示識別子出力手段は、前記現在時刻が前記表示識別子生成期間に含まれる場合のみ、前記表示識別子の出力を許容することを特徴とする請求項９〜１１のいずれか１項に記載の電子チケットプログラム。
【請求項１３】
前記電子チケットプログラムには、前記表示識別子の出力に関して表示フラグを記録する表示フラグメモリ領域を有し、
前記電子チケットプログラムは、
前記モバイルコンピュータ端末を、前記表示識別子を出力した場合には、前記表示フラグを前記表示フラグメモリ領域に記録する手段としてさらに機能させ、
前記表示識別子出力手段は、前記表示フラグメモリ領域に前記表示フラグが記録されていない場合のみ、前記表示識別子の出力を許容することを特徴とする請求項９〜１２のいずれか１項に記載の電子チケットプログラム。
【請求項１４】
前記電子チケットプログラムには表示識別子の出力に関する制限回数に関するデータが格納され、
さらに、前記表示識別子の出力回数に関するデータを記録する出力回数メモリ領域を有し、
前記電子チケットプログラムは、
前記モバイルコンピュータ端末を、前記表示識別子を出力した場合には、前記表示識別子の出力回数を前記出力回数メモリ領域に関するデータを記録する手段としてさらに機能させ、
前記表示識別子出力手段は、前記出力回数が前記制限回数以下の場合のみ、前記表示識別子の出力を許容することを特徴とする請求項９〜１３のいずれか１項に記載の電子チケットプログラム。
【請求項１５】
前記電子チケットプログラムには表示許容地域に関するデータが格納され、
前記電子チケットプログラムは、
前記モバイルコンピュータ端末を、現在位置を取得する手段としてさらに機能させ、
前記表示識別子出力手段は、前記現在位置が前記表示許容地域に含まれる場合のみ、前記表示識別子の出力を許容することを特徴とする請求項９〜１４のいずれか１項に記載の電子チケットプログラム。
【請求項１６】
前記電子チケットプログラムには、前記モバイルコンピュータ端末の端末識別子に関するデータが格納され、
前記電子チケットプログラムは、
前記モバイルコンピュータ端末を、自身の端末識別子と、前記電子チケットプログラムに格納された端末識別子とを照合する手段としてさらに機能させ、
前記表示識別子出力手段は、両者が一致する場合のみ、前記表示識別子の出力を許容することを特徴とする請求項９〜１５のいずれか１項に記載の電子チケットプログラム。
【発明の詳細な説明】
【０００１】
【発明の属する技術分野】
本発明は、利用者に対して効率的かつ安全にチケットを提供することができるチケット管理方法及び電子チケットプログラムに関するものである。
【０００２】
【従来の技術】
従来、各種イベントに参加するためのチケットや、商品やサービスを受けるためのチケットは、紙等の媒体を用いて、所定の流通ルートで提供されている。そして、チケット提供者は、この媒体に表示された記載内容に基づいて、チケットの真正性を判断する。しかしながら、このようなチケットの作成や配布には、印刷等の時間や手間がかかる。その上、紙媒体を提供できる範囲にも限りがあった。一方、利用者にとっても、チケット入手や管理が困難な場合もある。
【０００３】
そこで、携帯型端末を用いて入場のチェックを行なうシステムが提案されている（例えば、特許文献１参照。）。ここでは、利用者は、携帯電話端末から、インターネットを介して、飛行機の座席の搭乗予約を行なう。予約できた場合、搭乗予約データファイルに登録し、携帯電話端末に予約内容が送信する。この予約内容は携帯電話端末に保持される。搭乗者は、飛行場の搭乗口で携帯電話端末の発信ボタンを押し、ＩＤ番号等を、飛行場の搭乗口に設置された無線機能付きコンピュータに送る。無線機能付きコンピュータは、搭乗予約データファイルを用いて携帯電話端末から送信されたＩＤ番号を検索する。無線機能付きコンピュータは、搭乗予約が有ればゲートを開く。このように、搭乗者は、切符を用いないで飛行機に搭乗できる。
【０００４】
また、携帯電話端末を用いて、チケット等に関するバーコードをダウンロードして出力させる方法が提案されている（例えば、特許文献２参照。）。ここでは、携帯電話端末のメール機能を利用して、バーコードを携帯電話端末に配信する。そして、携帯電話端末に設けられた表示部に出力することにより、バーコード読取装置にてバーコード情報を読み取らせる。これにより、常時持ち歩く携帯電話端末を用いてチケット等を利用することができる。
【０００５】
【特許文献１】
特開平１１−１８４９３５号公報（第１頁）
【特許文献２】
特開２００２−９４４５０号公報（第１頁）
【０００６】
【発明が解決しようとする課題】
しかし、特許文献１に記載の技術のように、無線機能付きコンピュータに予約内容を送信し、このコンピュータが搭乗予約データファイルを確認する場合、無線機能付きコンピュータや、携帯電話端末にＩＤ番号等の発信機能を設ける必要がある。
【０００７】
一方、特許文献２に記載の技術のように、バーコードリーダ等を光学的に読み取ることができれば簡便である。しかし、バーコードは光学的に複写（コピー）することが可能であり、重複使用される可能性がある。
【０００８】
本発明は、上記問題点を解決するためになされたものであり、利用者に対して効率的かつ安全にチケットを提供することができるチケット管理方法及び電子チケットプログラムを提供することである。
【０００９】
【課題を解決するための手段】
上記問題点を解決するために、請求項１に記載の発明は、チケット管理サーバ、表示識別子を読み取る照合手段及びモバイルコンピュータ端末を用いて、商品又はサービスを提供するためのチケットの管理方法であって、前記モバイルコンピュータ端末が、前記チケット管理サーバから受信した電子チケットプログラムを格納する格納段階と、前記電子チケットプログラムの起動に基づき、前記照合手段で読み取り可能な表示識別子を生成する表示識別子生成段階と、前記表示識別子を所定時間のみ出力を行なう表示識別子出力段階とを含むことを要旨とする。
【００１０】
請求項２に記載の発明は、請求項１に記載のチケット管理方法において、前記表示識別子生成段階は、表示時刻を特定できる情報を含む表示識別子を生成することを要旨とする。
【００１１】
請求項３に記載の発明は、請求項１又は２に記載のチケット管理方法において、前記電子チケットプログラムには表示許容時間に関するデータが格納され、前記表示識別子出力段階は、前記表示許容時間に基づいて、前記表示識別子の出力を行なうことを要旨とする。
【００１２】
請求項４に記載の発明は、請求項１〜３のいずれか１項に記載のチケット管理方法において、前記電子チケットプログラムには表示識別子生成期間に関するデータが格納され、前記チケット管理方法は、前記モバイルコンピュータ端末が、現在時刻を取得する段階をさらに含み、前記表示識別子出力段階は、前記現在時刻が前記表示識別子生成期間に含まれる場合のみ、前記表示識別子の出力を許容することを要旨とする。
【００１３】
請求項５に記載の発明は、請求項１〜４のいずれか１項に記載のチケット管理方法において、前記電子チケットプログラムには、前記表示識別子の出力に関して表示フラグを記録する表示フラグメモリ領域を有し、前記チケット管理方法は、前記モバイルコンピュータ端末が、前記表示識別子を出力した場合には、前記表示フラグを前記表示フラグメモリ領域に記録する段階をさらに含み、前記表示識別子出力段階は、前記表示フラグメモリ領域に前記表示フラグが記録されていない場合のみ、前記表示識別子の出力を許容することを要旨とする。
【００１４】
請求項６に記載の発明は、請求項１〜５のいずれか１項に記載のチケット管理方法において、前記電子チケットプログラムには表示識別子の出力に関する制限回数に関するデータが格納され、さらに、前記表示識別子の出力回数に関するデータを記録する出力回数メモリ領域を有し、前記チケット管理方法は、前記モバイルコンピュータ端末が、前記表示識別子を出力した場合には、前記表示識別子の出力回数を前記出力回数メモリ領域に関するデータを記録する段階をさらに含み、前記表示識別子出力段階は、前記出力回数が前記制限回数以下の場合のみ、前記表示識別子の出力を許容することを要旨とする。
【００１５】
請求項７に記載の発明は、請求項１〜６のいずれか１項に記載のチケット管理方法において、前記電子チケットプログラムには表示許容地域に関するデータが格納され、前記チケット管理方法は、前記モバイルコンピュータ端末が、現在位置を取得する段階をさらに含み、前記表示識別子出力段階は、前記現在位置が前記表示許容地域に含まれる場合のみ、前記表示識別子の出力を許容することを要旨とする。
【００１６】
請求項８に記載の発明は、請求項１〜７のいずれか１項に記載のチケット管理方法において、前記電子チケットプログラムには、前記モバイルコンピュータ端末の端末識別子に関するデータが格納され、前記チケット管理方法は、前記モバイルコンピュータ端末が、自身の端末識別子と、前記電子チケットプログラムに格納された端末識別子とを照合する段階をさらに含み、前記表示識別子出力段階は、両者が一致する場合のみ、前記表示識別子の出力を許容することを要旨とする。
【００１７】
請求項９に記載の発明は、チケット管理サーバ、表示識別子を読み取る照合手段及びモバイルコンピュータ端末を用いて、商品又はサービスを提供するための電子チケットプログラムであって、前記モバイルコンピュータ端末を、前記照合手段で読み取り可能な表示識別子を生成する表示識別子生成手段と、前記表示識別子を所定時間のみ出力を行なう表示識別子出力手段として機能させることを要旨とする。
【００１８】
請求項１０に記載の発明は、請求項９に記載の電子チケットプログラムにおいて、前記表示識別子生成手段は、表示時刻を特定できる情報を含む表示識別子を生成することを要旨とする。
【００１９】
請求項１１に記載の発明は、請求項９又は１０に記載の電子チケットプログラムにおいて、前記電子チケットプログラムには表示許容時間に関するデータが格納され、前記表示識別子出力手段は、前記表示許容時間に基づいて前記表示識別子の出力を行なうことを要旨とする。
【００２０】
請求項１２に記載の発明は、請求項９〜１１のいずれか１項に記載の電子チケットプログラムにおいて、前記電子チケットプログラムには表示識別子生成期間に関するデータが格納され、前記電子チケットプログラムは、前記モバイルコンピュータ端末を、現在時刻を取得する手段としてさらに機能させ、前記表示識別子出力手段は、前記現在時刻が前記表示識別子生成期間に含まれる場合のみ、前記表示識別子の出力を許容することを要旨とする。
【００２１】
請求項１３に記載の発明は、請求項９〜１２のいずれか１項に記載の電子チケットプログラムにおいて、前記電子チケットプログラムには、前記表示識別子の出力に関して表示フラグを記録する表示フラグメモリ領域を有し、前記電子チケットプログラムは、前記モバイルコンピュータ端末を、前記表示識別子を出力した場合には、前記表示フラグを前記表示フラグメモリ領域に記録する手段としてさらに機能させ、前記表示識別子出力手段は、前記表示フラグメモリ領域に前記表示フラグが記録されていない場合のみ、前記表示識別子の出力を許容することを要旨とする。
【００２２】
請求項１４に記載の発明は、請求項９〜１３のいずれか１項に記載の電子チケットプログラムにおいて、前記電子チケットプログラムには表示識別子の出力に関する制限回数に関するデータが格納され、さらに、前記表示識別子の出力回数に関するデータを記録する出力回数メモリ領域を有し、前記電子チケットプログラムは、前記モバイルコンピュータ端末を、前記表示識別子を出力した場合には、前記表示識別子の出力回数を前記出力回数メモリ領域に関するデータを記録する手段としてさらに機能させ、前記表示識別子出力手段は、前記出力回数が前記制限回数以下の場合のみ、前記表示識別子の出力を許容することを要旨とする。
【００２３】
請求項１５に記載の発明は、請求項９〜１４のいずれか１項に記載の電子チケットプログラムにおいて、前記電子チケットプログラムには表示許容地域に関するデータが格納され、前記電子チケットプログラムは、前記モバイルコンピュータ端末を、現在位置を取得する手段としてさらに機能させ、前記表示識別子出力手段は、前記現在位置が前記表示許容地域に含まれる場合のみ、前記表示識別子の出力を許容することを要旨とする。
【００２４】
請求項１６に記載の発明は、請求項９〜１５のいずれか１項に記載の電子チケットプログラムにおいて、前記電子チケットプログラムには、前記モバイルコンピュータ端末の端末識別子に関するデータが格納され、前記電子チケットプログラムは、前記モバイルコンピュータ端末を、自身の端末識別子と、前記電子チケットプログラムに格納された端末識別子とを照合する手段としてさらに機能させ、前記表示識別子出力手段は、両者が一致する場合のみ、前記表示識別子の出力を許容することを要旨とする。
【００２５】
（作用）
請求項１又は９に記載の発明によれば、チケット管理サーバ、表示識別子を読み取る照合手段及びモバイルコンピュータ端末を用いて、商品又はサービスを提供する。この場合、モバイルコンピュータ端末が、前記チケット管理サーバから受信した電子チケットプログラムを格納する。そして、前記照合手段で読み取り可能な表示識別子を生成する。次に、前記表示識別子を所定時間のみ出力を行なう。これにより、自由に表示識別子を出力できる場合と異なり、所定時間のみ出力されるため、複製（コピー）を困難にすることができる。
【００２６】
請求項２又は１０に記載の発明によれば、表示時刻を特定できる情報を含む表示識別子を生成する。これにより、表示識別子から、この表示識別子の表示時刻を特定できる。従って、照合手段は、表示識別子の表示時刻から読取時間まで時間差を算出することができる。
【００２７】
請求項３又は１１に記載の発明によれば、前記電子チケットプログラムには表示許容時間に関するデータが格納される。そして、前記表示許容時間に基づいて、前記表示識別子の出力を行なう。これにより、電子チケットプログラムを用いて、任意の表示許容時間を設定することができる。
【００２８】
請求項４又は１２に記載の発明によれば、前記電子チケットプログラムには表示識別子生成期間に関するデータが格納される。前記モバイルコンピュータ端末は、現在時刻を取得し、前記現在時刻が前記表示識別子生成期間に含まれる場合のみ、前記表示識別子の出力を許容する。これにより、表示識別子生成期間からずれている場合、表示識別子の出力を防止できる。
【００２９】
請求項５又は１３に記載の発明によれば、前記電子チケットプログラムには、前記表示識別子の出力に関して表示フラグを記録する表示フラグメモリ領域を有する。前記モバイルコンピュータ端末は、前記表示識別子を出力した場合には、前記表示フラグを前記表示フラグメモリ領域に記録する。そして、前記モバイルコンピュータ端末は、前記表示フラグメモリ領域に前記表示フラグが記録されていない場合のみ、前記表示識別子の出力を許容する。これにより、既に出力された表示識別子は再度出力されることがなく、表示識別子の重複利用を防止できる。
【００３０】
請求項６又は１４に記載の発明によれば、前記電子チケットプログラムには表示識別子の出力に関する制限回数に関するデータが格納される。さらに、前記電子チケットプログラムは、前記表示識別子の出力回数に関するデータを記録する出力回数メモリ領域を有す。前記モバイルコンピュータ端末は、前記表示識別子を出力した場合には、前記表示識別子の出力回数を前記出力回数メモリ領域に関するデータを記録する。そして、前記出力回数が前記制限回数以下の場合のみ、前記表示識別子の出力を許容する。これにより、表示識別子の出力回数を制限することができる。
【００３１】
請求項７又は１５に記載の発明によれば、前記電子チケットプログラムには表示許容地域に関するデータが格納される。そして、前記モバイルコンピュータ端末は、現在位置を取得し、前記現在位置が前記表示許容地域に含まれる場合のみ、前記表示識別子の出力を許容する。これにより、表示識別子の出力できる場所を制限することができる。
【００３２】
請求項８又は１６に記載の発明によれば、前記電子チケットプログラムには、前記モバイルコンピュータ端末の端末識別子に関するデータが格納される。前記モバイルコンピュータ端末が、自身の端末識別子と、前記電子チケットプログラムに格納された端末識別子とを照合する。そして、両者が一致する場合のみ、前記表示識別子の出力を許容する。これにより、表示識別子を出力させる利用者端末を制限することができる。
【００３３】
【発明の実施の形態】
以下、本発明を具体化した一実施形態を図１〜図８に従って説明する。本実施形態では、利用者に対して、イベント会場に入場する場合に用いるチケットを、ネットワークを介して提供するサービスに用いるチケット管理方法及び電子チケットプログラムとして説明する。本実施形態では、サービス提供者は、チケットを表示させるための電子チケットプログラム（電子チケット）を利用者の端末に送信する。
【００３４】
本実施形態では、図１に示すように、ネットワークとしての携帯電話網Ｎを介して電子チケットを利用者に提供する。利用者は、電子チケットをモバイルコンピュータ端末としての携帯電話端末１０を用いて受信する。
【００３５】
この携帯電話端末１０は、図１に示すように、ダイヤル番号ボタン１１０の他に、表示部１０１、セレクタボタン１０２、モード変更ボタン１０３を有する。この携帯電話端末１０は、通常の電話モードの他に、電子メールの送受信を行なうためのメールモード、ウェブページの表示を行なうためのブラウザモード、そして各種プログラムの実行処理を行なうプログラム実行モードを有する。各モード（例えば、電話モード）から他のモード（例えば、プログラム実行モード）に切り替える場合には、モード変更ボタン１０３を用いる。
【００３６】
表示部１０１には、携帯電話端末１０が受信した電子メールやウェブページが表示される。本実施形態では、後述する電子チケットプログラムにより生成された表示識別子が出力される。この表示識別子は、チケットの真正性を表わすシンボルである。本実施形態では、このシンボルとして２次元コードを用いる。ここで、２次元コードとは、バーコードの表示方式を水平と垂直方向に拡張したコードである。
【００３７】
また、携帯電話端末１０のセレクタボタン１０２は、ポインタ移動機能とクリック機能とを有する。このセレクタボタン１０２を用いて方向指示を行なうことによりポインタを移動させることができ、セレクタボタン１０２を押すことにより、ポインタが示している項目を選択することができる。
【００３８】
さらに、携帯電話端末１０は、図示しない制御手段（ＣＰＵ）、記憶手段（ＲＡＭ、ＲＯＭ、ハードディスク等）、データ送受信手段等を有する。そして、携帯電話端末１０内の記憶手段には、アプリケーションプログラム記憶部が含まれ、後述する手順により提供された電子チケットが格納される。そして、プログラム実行モードにおいて、この電子チケットプログラムを起動することにより、この携帯電話端末１０の制御手段は、後述する処理手順（表示識別子生成段階、表示識別子出力段階、現在時刻取得段階、表示フラグ記録段階、出力回数記録段階、現在位置取得段階、端末識別子照合段階等）を実行する。これにより、携帯電話端末１０の制御手段は、表示識別子生成手段、表示識別子出力手段、現在時刻取得手段、表示フラグ記録手段、出力回数記録手段、現在位置取得手段、端末識別子照合手段等の各手段として機能する。
【００３９】
また、イベント会場の入り口には、照合手段としてのゲートシステム３０が設置される。このゲートシステム３０には、２次元コードリーダ３１及び開閉ゲート扉３２を含む。２次元コードリーダ３１は、電子チケットプログラムにより、携帯電話端末１０の表示部１０１に出力された２次元コード（表示識別子）を読み取る。ゲートシステム３０は、読み取った２次元コードを抽出し、そのチケットの真正性を照合する。このため、入場を許容するチケット識別子を予めゲートシステム３０に記録させておく。チケットの真正性を確認できた場合には、ゲートシステム３０は開閉ゲート扉３２を開けて利用者の入場を許可する。
【００４０】
この携帯電話端末１０は、図１に示すように、携帯電話網Ｎを介して、チケット管理サーバとしてのチケット管理システム２０に接続されている。
チケット管理システム２０は、電子チケットや利用者に関するデータの管理に関する各種データ処理を行なうコンピュータシステムである。図１に示すように、管理コンピュータ２１を備えている。管理コンピュータ２１は、図示しない制御手段（ＣＰＵ）、記憶手段（ＲＡＭ、ＲＯＭ、ハードディスク等）やデータ送受信手段等を有する。この管理コンピュータ２１は、電子チケットプログラムの提供を含むチケット管理に関して後述する処理手順のためのチケット管理プログラムを実行する。
【００４１】
さらにチケット管理システム２０は、利用者データ記憶部２２及びチケットデータ記憶部２３を備えている。
利用者データ記憶部２２には、図２に示すように、本サービスを利用して電子チケットを取得することができる利用者に関しての利用者データ２２０が記録されている。本実施形態では、利用者は事前登録が必要であり、この利用者データ２２０は、利用者が登録を行なった場合に設定される。利用者データ２２０は、利用者毎に、利用者識別子、パスワード、携帯電話番号及び提供チケット識別子に関するデータを含んで構成される。
【００４２】
利用者識別子データ領域には、各利用者を特定するために用いる識別子に関するデータが記録される。この利用者識別子は、利用者登録を行なった場合にサービス提供者により付与される。この利用者識別子を用いることにより、チケット管理システム２０において図示しない他の記憶部に記録されたデータを用いて、利用者の属性データ（例えば、利用料金の引落口座番号等）を抽出することができる。
【００４３】
パスワードデータ領域には、電子チケットを取得する場合に行なわれるユーザ認証に用いるパスワードに関するデータが記録される。
携帯電話番号データ領域には、利用者が用いている携帯電話端末１０の電話番号に関するに関するデータが記録される。
【００４４】
提供チケット識別子データ領域には、この利用者に提供したチケットを特定するための識別子に関するデータが記録される。この提供チケット識別子は、利用者にチケットを提供する度に追加記録される。
【００４５】
チケットデータ記憶部２３には、図３に示すように、本サービスの利用者に対して提供される電子チケットに関するチケットデータ２３０が記録されている。このチケットデータ２３０は、利用者に提供可能なチケットが登録された場合に記録される。チケットデータ２３０は、チケット毎に、チケット識別子、価格、表示識別子生成期間としての有効期間及び、表示許容時間としての表示時間に関するデータを含んで構成される。
【００４６】
チケット識別子データ領域には、各チケットを特定するための識別子に関するデータが記録される。
価格データ領域には、電子チケットの提供価格に関するデータが記録される。この価格は、利用者に提供したチケットに関する課金を行なう場合に用いられる。
【００４７】
有効期間データ領域には、このチケットの有効期間に関するデータが記録される。この有効期間としては、例えば、このチケットに関するイベントの開催期間を用いる。
【００４８】
表示時間データ領域には、この電子チケットを用いて２次元コードを、利用者の携帯電話端末１０の表示部１０１に表示させる時間に関するデータが記録される。
【００４９】
次に、利用者に提供される電子チケットに関して説明する。この電子チケットは、後述するように携帯電話端末１０を、チケットを表示させるための各手段として機能させるアプリケーションプログラムである。図４に示すように、電子チケット４０は、チケット識別子メモリ領域４００、有効期間メモリ領域４０１、表示時間メモリ領域４０２及び表示フラグメモリ領域４０３を含んで構成される。さらに、電子チケット４０は、チケット識別子メモリ領域４００〜表示フラグメモリ領域４０３に記録されたデータを用いて、チケットを表示させるプロセスを記録したチケット表示プログラムメモリ領域４１０を含む。
【００５０】
チケット識別子メモリ領域４００には、電子チケットを特定するための識別子に関するデータが格納される。
有効期間メモリ領域４０１には、チケットの有効期間に関するデータが格納される。
【００５１】
表示時間メモリ領域４０２には、チケット（ここでは、２次元コード）の表示時間に関するデータが記録される。
表示フラグメモリ領域４０３には、チケットの表示の有無に関するフラグが記録される。一度も電子チケット４０が起動されていない場合には、この表示フラグデータ領域は空欄になる。一方、電子チケット４０が起動され、チケットが表示された場合には、表示フラグデータ領域に表示済フラグが記録される。
【００５２】
上記のように構成されたシステムにおいて、本サービスに関する電子チケットの提供を行なう場合の処理手順を説明する。
（電子チケットの取得・格納段階）
本サービスを利用して、電子チケットの取得・格納する段階の処理を、図５を用いて説明する。本実施形態では、本サービスを利用する場合、まず、利用者は、携帯電話端末１０を用いてチケット管理システム２０にアクセスし、チケット要求を行なう（Ｓ１−１）。この場合、利用者は携帯電話端末１０のブラウザを起動し、チケット管理システム２０にアクセスするためのＵＲＬ（Ｕｎｉｆｏｒｍ  Ｒｅｓｏｕｒｃｅ  Ｌｏｃａｔｏｒ）を入力する。そして、携帯電話端末１０は、携帯電話網Ｎを介して、チケット要求をチケット管理システム２０に送信する。このチケット要求は、利用者識別子、パスワード、要求対象のチケット識別子に関するデータを含む。
【００５３】
このチケット要求を受信した管理コンピュータ２１は、チケット要求に含まれる利用者識別子とパスワードとを用いてユーザ認証を行なう（Ｓ１−２）。
そして、ユーザ認証を完了した場合、利用者に提供する電子チケット４０を生成する（Ｓ１−３）。本実施形態では、管理コンピュータ２１は、チケットデータ記憶部２３から要求対象のチケットに関するチケットデータ２３０を抽出する。そして、電子チケット４０のチケット識別子メモリ領域４００〜表示時間メモリ領域４０２に、チケット識別子、有効期間及び表示時間に関するデータを記録する。さらに、管理コンピュータ２１は、利用者に提供する電子チケットのチケット識別子を、提供チケット識別子として、この利用者の利用者データ２２０に記録する。
【００５４】
そして、管理コンピュータ２１は、生成した電子チケットを携帯電話端末１０に送信する（Ｓ１−４）。この電子チケットの送信は、携帯電話網Ｎを介して行なわれる。
【００５５】
この電子チケットを受信した携帯電話端末１０は、受信した電子チケットを記録する（Ｓ１−５）。この電子チケットは、携帯電話端末１０内のアプリケーションプログラム記憶部に格納される。
【００５６】
（電子チケットの利用段階）
次に、電子チケットの利用段階の処理を説明する。利用者は、電子チケットを格納した携帯電話端末１０を、イベント会場に持参する。そして、イベント会場に入場する前に、この電子チケットを起動する（Ｓ１−６）。この場合、まず、利用者は、モード変更ボタン１０３を用いてプログラム実行モードを選択する。この場合、携帯電話端末１０の表示部１０１には、図７に示す表示画面５００が出力される。この表示画面５００を用いることにより、携帯電話端末１０のアプリケーションプログラム記憶部に格納されたプログラムを選択することができる。ここでは、セレクタボタン１０２を用いて「電子チケット」を選択する。
【００５７】
この場合、携帯電話端末１０は、格納された電子チケットプログラムにより電子チケット表示処理を実行する（Ｓ１−７）。この電子チケット表示処理を、図６を用いて説明する。
【００５８】
まず、携帯電話端末１０は、電子チケット４０内の表示フラグメモリ領域４０３を確認する（Ｓ２−１）。表示フラグメモリ領域４０３に表示済フラグが記録されている場合（ステップ（Ｓ２−１）において「Ｙｅｓ」）には、携帯電話端末１０はアラームを出力する（Ｓ２−２）。この場合、携帯電話端末１０の表示部１０１には、図７に示す表示画面５１０が出力される。この場合には、チケット（２次元コード）は表示されない。
【００５９】
一方、表示フラグメモリ領域４０３は空欄になっている場合（ステップ（Ｓ２−１）において「Ｎｏ」の場合）には、携帯電話端末１０は現在時刻を取得する（Ｓ２−３）。本実施形態では、携帯電話端末１０の内蔵時計から現在時刻を取得する。
【００６０】
そして、携帯電話端末１０は、電子チケット４０内の有効期間メモリ領域４０１に格納された有効期間と、現在時刻に基づいて特定される現在日時とを照合する（Ｓ２−４）。
【００６１】
現在日時が有効期間外になっている場合（ステップ（Ｓ２−４）において「Ｎｏ」の場合）には、携帯電話端末１０はアラームを出力する（Ｓ２−５）。この場合、携帯電話端末１０の表示部１０１には、図７に示す表示画面５２０が出力される。この場合も、チケット（２次元コード）は表示されない。
【００６２】
一方、現在日時が有効期間内になっている場合（ステップ（Ｓ２−４）において「Ｙｅｓ」の場合）には、携帯電話端末１０は、表示部１０１に、チケットを所定時間、表示する（Ｓ２−６）。本実施形態では、チケットが表示される時間として、電子チケット４０の表示時間メモリ領域４０２に記録された表示時間を用いる。この場合、携帯電話端末１０は、まず利用者にチケット表示の最終確認を行なう。このため、携帯電話端末１０の表示部１０１には、図７に示す表示画面５３０が出力される。ここで、表示画面５３０には、電子チケット４０の表示時間メモリ領域４０２に記録された表示時間（ここでは、「３分間」）が出力される。
【００６３】
そして、利用者がセレクタボタン１０２を用いて「Ｙｅｓ」を選択した場合、携帯電話端末１０はチケットの表示を行なう。本実施形態では、携帯電話端末１０の表示部１０１には、図８に示す表示画面５５０が出力され、続けて表示画面５６０が出力される。本実施形態では、電子チケット４０が、チケットを表象する２次元コードを生成し、表示画面５６０に含める。この２次元コードは、電子チケット４０のチケット識別子メモリ領域４００に記録されたチケット識別子を用いて生成される。さらに、携帯電話端末１０は、表示開始時刻から経過時間を測定する。そして、表示画面５６０に、表示時間（ここでは、３分間）の残り時間が表示する。
【００６４】
利用者は、この間にゲートシステム３０を通過する。この場合、利用者は、ゲートシステム３０の２次元コードリーダ３１に、表示画面５６０が出力された表示部１０１をかざす。ゲートシステム３０は、図５に示すように、携帯電話端末１０の表示部１０１に表示された２次元コードを読み取る（Ｓ１−８）。
【００６５】
そして、ゲートシステム３０は読み取った２次元コードを用いてチケットの真正性を照合する（Ｓ１−９）。具体的には２次元コードに基づいてチケット識別子を抽出し、予めゲートシステム３０に記録されたチケット識別子とを照合する。
【００６６】
そして、チケットが真正である場合（ステップ（Ｓ１−９）において「Ｙｅｓ」の場合）、ゲートシステム３０は、イベント会場への開閉ゲート扉３２を開く（Ｓ１−１０）。一方、チケットが真正でない場合（ステップ（Ｓ１−９）において「Ｎｏ」の場合）、ゲートシステム３０は、開閉ゲート扉３２を閉じたままアラームを出力する（Ｓ１−１１）。
【００６７】
携帯電話端末１０の表示部１０１に出力された表示画面５６０は、表示開始から所定時間（ここでは３分間）経過後に終了する（Ｓ２−７）。この場合、携帯電話端末１０の表示部１０１には、図８に示す表示画面５７０が出力される。
【００６８】
そして、携帯電話端末１０は、電子チケット４０の表示フラグメモリ領域４０３に、表示済フラグを記録する（Ｓ２−８）。以上により、電子チケット表示処理を終了する。
【００６９】
（電子チケットに関する課金段階）
次に、利用者に提供した電子チケット４０に関する課金処理について説明する。ここでは、管理コンピュータ２１は、定期的に、利用者毎に利用者データ記憶部２２に記録された提供チケット識別子を確認する。そして、利用者データ２２０に含まれる提供チケット識別子に基づいて、チケットデータ記憶部２３から価格を抽出し、利用者毎の料金を算出する。
【００７０】
そして、管理コンピュータ２１は、利用者識別子を用いて、利用者の引落口座を特定し、利用料金の引落処理を行なう。さらに、管理コンピュータ２１は、利用料金を引き落とした提供チケット識別子を利用者データ記憶部２２から削除する。
【００７１】
以上、本実施形態によれば、以下に示す効果を得ることができる。
・  上記実施形態では、電子チケット４０は、チケット識別子メモリ領域４００にチケット識別子に関するデータを格納し、表示時間メモリ領域４０２に表示時間に関するデータを格納している。そして、チケットの表示を行なう場合、携帯電話端末１０の表示部１０１には表示画面５６０が出力される。この表示画面５６０には、チケットを表象する２次元コードを含んでいる。携帯電話端末１０は、表示開始時刻から経過時間を測定し、表示開始から所定時間（ここでは３分間）経過後に終了する。このため、チケットを表象する２次元コードは所定の表示時間のみ出力される。２次元コードは容易に画面表示を行なうことができるが、一方で光学的な複写（コピー）も可能である。従って、この表示時間を比較的短く設定することにより、その間のコピーを抑制することができる。
【００７２】
・  上記実施形態では、携帯電話端末１０の表示部１０１には、表示画面５６０が出力される。この表示画面５６０には、表示時間（ここでは３分間）の残り時間が表示される。このため、利用者は、表示時間の残り時間を把握することができる。従って、より確実に、ゲートシステム３０を通過することができる。
【００７３】
・  上記実施形態では、電子チケット４０は、有効期間メモリ領域４０１に有効期間に関するデータを格納している。そして、携帯電話端末１０の内蔵時計から現在時刻を取得し、有効期間メモリ領域４０１に格納された有効期間と現在日時とを照合する。現在日時が有効期間外になっている場合には、携帯電話端末１０はアラームを出力する。この場合、２次元コードは表示されず、電子チケット表示処理を終了する。この結果、表示フラグデータ領域は空欄のままになる。このため、２次元コードは、表示フラグにより１度しか出力されない。従って、有効期間外に利用者が誤って電子チケット４０を起動した場合にも、チケットが無駄になることを防止できる。
【００７４】
・  上記実施形態では、携帯電話端末１０の表示部１０１に出力された表示画面５６０が、所定時間の表示を終了した場合、携帯電話端末１０は、電子チケット４０の表示フラグメモリ領域４０３に表示済フラグを記録する。そして、表示フラグメモリ領域４０３に表示済フラグが記録されている場合、電子チケット４０が起動されても、携帯電話端末１０の表示部１０１には２次元コードは出力されない。このため、電子チケットの再表示を防止し、重複使用等を抑制できる。
【００７５】
なお、上記実施形態は、以下の態様に変更してもよい。
・  上記実施形態では、利用者に対して、イベント会場に入場する場合に用いる電子チケット４０を、ネットワークを介して提供する。このような入場券のようなチケットに限られるものではなく、割引クーポンや乗車券等、商品やサービスを受けるための表示識別子に応用することができる。
【００７６】
・  上記実施例では、携帯電話端末１０の表示部１０１には、チケットを表彰する表示識別子（シンボル）として２次元コードを用いる。チケットを表彰できるものであれば、バーコード等であってもよい。
【００７７】
・  上記実施例では、携帯電話端末１０は、電子チケット４０のチケット識別子メモリ領域４００に記録されたチケット識別子を用いて、表示識別子としての２次元コードを生成し、表示画面５６０に含める。これに加えて、表示識別子（上記実施形態では２次元コード）に、表示識別子の生成時刻（表示時刻）に関する情報を含めてもよい。この場合、ゲートシステム３０は、２次元コードリーダ３１により表示識別子生成時刻を読み取る。そして、表示識別子の読取時刻が、表示識別子生成時刻から所定時間内になる場合は、チケットを真正と判断する。表示識別子をコピーして使用する場合、表示識別子生成時刻と、この表示識別子の利用時刻との間に、比較的大きな時間差が生じる。これにより、コピーされた表示識別子の利用を抑制することができる。
【００７８】
・  上記実施例では、携帯電話端末１０の表示部１０１に出力された表示画面５６０が、所定時間の表示を終了した場合、携帯電話端末１０は、電子チケット４０の表示フラグメモリ領域４０３に表示済フラグを記録する。そして、表示フラグメモリ領域４０３に表示済フラグが記録されている場合、電子チケット４０が起動されても、携帯電話端末１０の表示部１０１には２次元コードを出力しない。これに代えて、携帯電話端末１０が、電子チケット４０が起動回数を計数し、この起動回数に応じて表示識別子の出力可否を判断してもよい。この場合、電子チケット４０には、表示識別子の出力に関する制限回数に関するデータが格納しておく。さらに、表示識別子の出力回数に関するデータを記録する出力回数メモリ領域を設けておく。携帯電話端末１０は、表示識別子を出力した場合には、その出力回数を出力回数メモリ領域に関するデータを記録する。そして、出力回数が制限回数以下の場合のみ、表示識別子の出力を許容する。これにより、誤って表示させた場合や、表示時間に間に合わなかった場合にも対応でき、利用者の利便性を向上することができる。また、起動回数が予め定められた回数以下の場合に、前記表示識別子を出力することにより、チケットの複数回の表示を許容することができる。従って、電子チケット４０を回数券として活用することもできる。
【００７９】
・  上記実施例では、電子チケット４０は、有効期間メモリ領域４０１に有効期間に関するデータを格納している。そして、携帯電話端末１０の内蔵時計から現在時刻を取得し、有効期間メモリ領域４０１に格納された有効期間と現在日時とを照合する。現在日時が有効期間外になっている場合には、携帯電話端末１０はアラームを出力する。この場合、２次元コードは表示されず、電子チケット表示処理を終了する。表示識別子の出力可否の判断は、時間的制約に限られるものではなく、例えば、地理的制約を設けてもよい。この場合、電子チケット４０に、表示許容地域に関するデータを記録したメモリ領域を設けておく。そして、電子チケット４０の起動の指示を受けた場合、携帯電話端末１０は、現在位置に関する情報を取得する。この場合、携帯電話端末１０は、ＧＰＳ（Ｇｌｏｂａｌ  Ｐｏｓｉｔｉｏｎｉｎｇ  Ｓｙｓｔｅｍｓ）やＰＨＳ（Ｐｅｒｓｏｎａｌ  Ｈａｎｄｙ−ｐｈｏｎｅ  Ｓｙｓｔｅｍ  ）等の位置情報提供サービスを利用する。そして、現在位置が予め定められた位置（例えば、イベント会場）から所定範囲（表示許容地域）にある場合に、表示識別子を生成し、表示する。これにより、利用者が、本来、表示識別子を利用する場所から位置的に大きくずれた場所において、電子チケット４０の起動を防止できる。
【００８０】
・  上記実施例では、電子チケット４０は、チケット識別子メモリ領域４００、有効期間メモリ領域４０１、表示時間メモリ領域４０２及び表示フラグメモリ領域４０３を含んで構成される。これに加えて、電子チケット４０にチケット要求を行なった利用者の端末識別子を格納するメモリ領域を設けてもよい。この端末識別子としては携帯電話番号や電子メールを用いることができる。この場合、携帯電話端末１０は、自身の携帯電話番号と、電子チケット４０に格納された携帯電話番号とを照合する。両者が一致しない場合、表示識別子は表示せず、電子チケット表示処理を終了する。これにより、電子チケット４０が他の携帯電話端末にコピーされた場合においては、チケットの利用を防止することができる。
【００８１】
・  上記実施例では、利用者データ記憶部２２には、本サービスを利用して電子チケットを取得することができる利用者に関しての利用者データ２２０が記録されている。そして、このデータを用いて口座引落により課金処理を行なう。これに代えて、通信事業者の情報料回収代行サービスを利用してもよい。この場合、課金データを通信事業者に提供する。これにより、効率的に利用料金を回収することができる。
【００８２】
・  上記実施形態では、チケット管理システム２０は、電子チケット４０を、ネットワークとしての携帯電話網Ｎを介して、モバイルコンピュータ端末としての携帯電話端末１０に送信する。モバイルコンピュータ端末は携帯電話端末１０に限られるものではなく、ノートパソコンやＰＤＡ（Ｐｅｒｓｏｎａｌ  Ｄｉｇｉｔａｌ  Ａｓｓｉｓｔａｎｔ）等のモバイル端末であってもよい。また、ネットワークも携帯電話網Ｎに限られるものではなく、無線ＬＡＮやインターネット等をネットワークとして用いてもよい。
【００８３】
【発明の効果】
以上詳述したように、本発明によれば、利用者に対して効率的かつ安全にチケットを提供することができる。
【図面の簡単な説明】
【図１】本発明の実施形態のシステム概略図。
【図２】利用者データ記憶部に記録されたデータの説明図。
【図３】チケットデータ記憶部に記録されたデータの説明図。
【図４】電子チケットに格納されたデータの説明図。
【図５】本実施形態の処理手順の説明図。
【図６】本実施形態の処理手順の説明図。
【図７】携帯電話端末に表示された表示画面の説明図。
【図８】携帯電話端末に表示された表示画面の説明図。
【符号の説明】
１０…携帯電話端末、２０…チケット管理サーバとしてのチケット管理システム、２１…管理コンピュータ、３０…照合手段としてのゲートシステム、４０…電子チケットプログラムとしての電子チケット、４０３…表示フラグメモリ領域。
【図１】
2004295649.tif 000003
【図２】
2004295649.tif 000004
【図３】
2004295649.tif 000005
【図４】
2004295649.tif 000006
【図５】
2004295649.tif 000007
【図６】
2004295649.tif 000008
【図７】
2004295649.tif 000009
【図８】
2004295649.tif 000010